(57)【要約】【課題】この発明は、輸送および搬出入時におけるスイッチギヤの高さ方向の寸法のコンパクト化を図ることができるスイッチギヤを提供するものである。【解決手段】スイッチギヤの箱体の天井部に設けられた天井カバー体と、前記天井カバー体に前記スイッチギヤの前記箱体内外へスライド移動可能に取り付けられ、前記天井カバー体の外面に当接可能な上側フランジおよび前記天井カバー体の内面に当接可能な下側フランジを有し、前記スイッチギヤの前記箱体内のケーブルが挿通されるケーブル端末処理箱と、前記ケーブル端末処理箱の前記上側フランジと前記天井カバー体との間に配設された緩衝部材とを備えたものである。【選択図】図１
2014236585.tif 000002
【特許請求の範囲】
【請求項１】
スイッチギヤの箱体の天井部に設けられた天井カバー体と、前記天井カバー体に前記スイッチギヤの前記箱体内外へスライド移動可能に取り付けられ、前記天井カバー体の外面に当接可能な上側フランジおよび前記天井カバー体の内面に当接可能な下側フランジを有し、前記スイッチギヤの前記箱体内のケーブルが挿通されるケーブル端末処理箱と、前記ケーブル端末処理箱の前記上側フランジと前記天井カバー体との間に配設された緩衝部材とを備えたことを特徴とするスイッチギヤ。
【請求項２】
前記緩衝部材は圧縮コイルばねにより構成され、前記ケーブル端末処理箱を前記スイッチギヤの前記箱体内へスライド移動させ、前記ケーブル端末処理箱の前記上側フランジにより前記緩衝部材を圧縮させて前記上側フランジを前記天井カバー体に固定するようにしたことを特徴とする請求項１に記載のスイッチギヤ。
【請求項３】
前記ケーブル端末処理箱の前記上側フランジと前記天井カバー体との固定状態を解除することにより前記緩衝部材の圧縮状態を解除して復元させてその復元力により前記上側フランジを一定量浮上させた後、前記ケーブル端末処理箱を前記スイッチギヤの前記箱体外へスライド移動させ、前記ケーブル端末処理箱の前記下側フランジを前記天井カバー体に固定するようにしたことを特徴とする請求項２に記載のスイッチギヤ。
【請求項４】
前記緩衝部材は天井スペーサにより構成されたことを特徴とする請求項１に記載のスイッチギヤ。
【請求項５】
前記ケーブル端末処理箱を前記スイッチギヤの前記箱体外へスライド移動させた後、前記ケーブル端末処理箱の下方への移動を防止する突起体を前記ケーブル端末処理箱の側部に設けたことを特徴とする請求項１ないし請求項４のいずれか１項に記載のスイッチギヤ。
【請求項６】
前記天井カバー体に前記突起体と係合する切り欠き部を設け、前記ケーブル端末処理箱を前記スイッチギヤの前記箱体内へスライド移動させるときは前記ケーブル端末処理箱の前記突起体を前記切り欠き部から外して前記ケーブル端末処理箱を前記スイッチギヤの前記箱体内へスライド移動させるようにしたことを特徴とする請求項５に記載のスイッチギヤ。
【発明の詳細な説明】
【技術分野】
【０００１】
この発明は、例えば金属閉鎖形スイッチギヤの上引込の外線ケーブル端末処理部に関し，天井部に設置されるケーブル端末処理箱を上下にスライドすることで，発送時の取外し作業，据付け時の取付け作業及び結線作業を削減する構造に関するものである。
【背景技術】
【０００２】
従来の金属閉鎖形スイッチギヤに高圧ケーブルを接続する場合，高圧ケーブルの絶縁処理として，ケーブル端末処理と呼ばれる処置を施す。スイッチギヤのケーブル接続部では，このケーブル端末処理に必要な寸法を考慮した構造としている。しかしながら，スイッチギヤの据付け条件等の構造上の制約などで，このケーブル端末処理に必要な寸法が確保できない場合があり，その場合にはケーブル端末処理に必要なスペースを確保するために，スイッチギヤの天井部にケーブル端末処理箱を設置している。
【０００３】
従来のスイッチギヤとしては例えば図２７に示すものがあり、図２７は側断面図を示している。１はスイッチギヤの箱体、１ａは扉、２は上下２段に配置された遮断器室、３は上下に配置された遮断器室２をまたぐ形で配置した母線室、４は母線室３を包み込む形で遮断器室２の後方に配置したケーブル室、５は遮断器室２内に配置した引出し式の遮断器、６は遮断器室２内に配置され遮断器５と接離する母線側ブッシング、７は遮断器室２内に配置され遮断器５と接離するケーブル側ブッシング、１５は上下段の母線側ブッシング６どうしを接続するコ字状に折り曲げられた第１の接続導体、８は断面が平角状の３相の母線で、断面の長手方向を上下方向にして図２７の紙面の厚み方向に延在して配置している。そして、箱体１の前面側には制御機器室１３が配置されている。
【０００４】
１６は母線８と第１の接続導体１５との間を各相それぞれ１対１に接続するコ字状に折り曲げられた第２の接続導体である。１７は３相一体に形成されたＣＴで、母線室３の上面及び下面に装着されている。このＣＴは、各相に対応したＣＴと３相一括して検出する零相ＣＴを一括して内蔵一体化している。１８は上側ケープル接続導体であり、上部遮断器室２のケーブル側ブッシング７からＣＴ１７を貫通しスイッチギヤの後方に向って水平に真っ直ぐ引出されており、斜め下方に折り曲げて接続部１８ａを形成している。１９は下側ケーブル接続導体であり、下部遮断器室２のケーブル側ブッシング７からＣＴ１７を貫通しスイッチギヤの後方に向って水平に真っ直ぐ引出されており、斜め上方に折り曲げて接続部１９ａを形成している。２０は接続部１８ａと接続されスイッチギヤの箱体１の上部に設置されたケーブル端末処理箱２２から負荷側に導出される上側ケーブルである。２１は接続部１９ａと接続されスイッチギヤの箱体１の上部に設置されたケーブル端末処理箱２２から負荷側に導出される下側ケーブルである。
【先行技術文献】
【特許文献】
【０００５】
【特許文献１】特開２００１−６１２０６号公報
【特許文献２】特開２０１２−２３１５９２号公報
【発明の概要】
【発明が解決しようとする課題】
【０００６】
上述した従来のスイッチギヤは、変電所内でトランスや他の電気機器と共に電力の流通に即して配置され、それぞれの機器スペースと機器の保守点検に要するスペースで敷地が確保されるが、更にそれぞれの機器の更新などの取替えの為に、変電所の敷地や電気室及び電気室に至る経路において機器の搬出入が可能な通路スペースを確保する必要がある。
【０００７】
この搬出入に必要な通路スペースは、外部アクセス道からの変電所あるいは電気室の位置・距離にもよるが、その占有スペースは非常に大きなものとなる場合がある。そして、この搬出入スペースは通常の運転時には不要なスペースであるが、万が一の機器の取替えや機器寿命による設備更新の為には必要不可欠なスペースである。従って、変電所敷地あるいは建屋スペースの効率的な利用の為には、こうした通常使用しないデッドスペースは極力少ない事が望ましい。
【０００８】
この通路スペース（特に搬出入路の幅）を極力少なくするための手段として、機器の小形化は勿論であるが、一般的には金属閉鎖形スイッチギヤの筐体を分解し主回路導体などを取外しての輸送、搬出入が行なわれる。高電圧電力機器の小形化では、ガス絶縁スイッチギヤなど高い絶縁耐力の絶縁ガスを密閉して機器を小形化する方法が一般的に採用されている。
【０００９】
しかし、スイッチギヤの据付時や内部機器の取替えあるいは更新時に絶縁ガス処理時間や精密な密閉作業が必要で設備停電時間が多くかかるという欠点やスイッチギヤを製作している工場に比べて塵埃や高温多湿など周囲条件の悪い環境条件における絶縁信頼性確保の為、異物や水分管理を充分徹底するための作業環境整備施策が必要であるなどの問題がある。
【００１０】
また、従来のスイッチギヤは、ケーブル端末処理箱２２がスイッチギヤの箱体１の上部に固定された状態で設置されているので、ケーブル端末処理箱２２の高さ分だけスイッチギヤの高さが大きなものとなり、輸送あるいは搬出入に制約を受けることが多々あるという課題があった。
【００１１】
これを解決するための手段として、例えば特許文献２で示される手段を適用することが考えられる。すなわち、特許文献２のものは輸送時及び搬出入時に接地カバー体を正面から見て左右にスライドさせてスイッチギヤ内に収納してスイッチギヤの幅方向の寸法をコンパクトにしたものである、この技術を応用してスイッチギヤの天井部に設けたケーブル端末処理箱をスイッチギヤ内に収納することが考えられる。ケーブル端末処理箱をスイッチギヤ内に収納した状態から上側にスライドさせようとした場合、天井部に取付けられたカバー体の上面とケーブル端末処理箱の上側フランジの下面との隙間が無いため、手が入り難くスライドが困難となる。また、ケーブル端末処理箱を下側にスライドしてスイッチギヤ内に収納する場合は、天井部に取付けられたカバー体の上面とケーブル端末処理箱の上側フランジの下面との隙間に指を挟まないよう注意する必要があるなどの問題が発生することになる。
【００１２】
この発明は、上記のような課題を解決するためになされたものであり、その目的は、輸送および搬出入時におけるスイッチギヤの高さ方向の寸法のコンパクト化が図れるスイッチギヤを提供するものである。
【課題を解決するための手段】
【００１３】
この発明に係わるスイッチギヤは、スイッチギヤの箱体の天井部に設けられた天井カバー体と、前記天井カバー体に前記スイッチギヤの前記箱体内外へスライド移動可能に取り付けられ、前記天井カバー体の外面に当接可能な上側フランジおよび前記天井カバー体の内面に当接可能な下側フランジを有し、前記スイッチギヤの前記箱体内のケーブルが挿通されるケーブル端末処理箱と、前記ケーブル端末処理箱の前記上側フランジと前記天井カバー体との間に配設された緩衝部材とを備えたものである。
【発明の効果】
【００１４】
この発明に係わるスイッチギヤによれば、輸送および搬出入時におけるスイッチギヤの高さ方向の寸法のコンパクト化を図ることができるスイッチギヤを得ることができる。
【図面の簡単な説明】
【００１５】
【図１】この発明の実施形態１に係わるスイッチギヤにおける据付時の状態を示す要部斜視図である。
【図２】この発明の実施形態１に係わるスイッチギヤにおける搬出入時の状態を示す要部斜視図である。
【図３】この発明の実施形態１に係わるスイッチギヤにおける搬出入時の固定した状態を示す要部斜視図である。
【図４】この発明の実施形態１に係わるスイッチギヤにおけるスライド式ケーブル端末処理箱の据付時の状態を示す要部側断面図である。
【図５】この発明の実施形態１に係わるスイッチギヤにおける図４のＡ−Ａ線における断面図である。
【図６】この発明の実施形態１に係わるスイッチギヤにおける図５のＢ−Ｂ線から見た平面図である。
【図７】この発明の実施形態１に係わるスイッチギヤにおける図５のＣ−Ｃ線から見た平面図である。
【図８】この発明の実施形態１に係わるスイッチギヤにおけるスライド式ケーブル端末処理箱の搬出入時の状態を示す要部側断面図である。
【図９】この発明の実施形態１に係わるスイッチギヤにおける図８のＤ−Ｄ線における断面図である。
【図１０】この発明の実施形態１に係わるスイッチギヤにおける図９のＥ−Ｅ線から見た平面図である。
【図１１】この発明の実施形態１に係わるスイッチギヤにおける緩衝部材の据付、運転時を示す断面図である。
【図１２】この発明の実施形態１に係わるスイッチギヤにおける緩衝部材の搬送、搬出入時を示す断面図である。
【図１３】この発明の実施形態２に係わるスイッチギヤにおけるスライド式ケーブル端末処理箱の据付時の状態を示す要部側断面図である。
【図１４】この発明の実施形態２に係わるスイッチギヤにおける図１３のＦ−Ｆ線における断面図である。
【図１５】この発明の実施形態２に係わるスイッチギヤにおける図１４のＧ−Ｇ線から見た平面図である。
【図１６】この発明の実施形態２に係わるスイッチギヤにおける図１４のＨ−Ｈ線から見た平面図である。
【図１７】この発明の実施形態２に係わるスイッチギヤにおけるスライド式ケーブル端末処理箱の搬出入時の状態を示す要部側断面図である。
【図１８】この発明の実施形態２に係わるスイッチギヤにおける図１７のＪ−Ｊ線における断面図である。
【図１９】この発明の実施形態２に係わるスイッチギヤにおける図１８のＫ−Ｋ線から見た平面図である。
【図２０】この発明の実施形態３に係わるスイッチギヤにおけるスライド式ケーブル端末処理箱の据付時の状態を示す要部側断面図である。
【図２１】この発明の実施形態３に係わるスイッチギヤにおける図２０のＬ−Ｌ線における断面図である。
【図２２】この発明の実施形態３に係わるスイッチギヤにおける図２１のＭ−Ｍ線から見た平面図である。
【図２３】この発明の実施形態３に係わるスイッチギヤにおける図２１のＮ−Ｎ線から見た平面図である。
【図２４】この発明の実施形態３に係わるスイッチギヤにおけるスライド式ケーブル端末処理箱の搬出入時の状態を示す要部側断面図である。
【図２５】この発明の実施形態３に係わるスイッチギヤにおける図２４のＰ−Ｐ線における断面図である。
【図２６】この発明の実施形態３に係わるスイッチギヤにおける図２５のＱ−Ｑ線から見た平面図である。
【図２７】従来のスイッチギヤを示す側断面図である。
【発明を実施するための形態】
【００１６】
実施の形態１．
以下、この発明の実施の形態１を図１ないし図１０に基づいて説明するが、各図において、同一、または相当部材、部位については同一符号を付して説明する。図１はこの発明の実施形態１に係わるスイッチギヤにおける据付時の状態を示す要部斜視図である。図２はこの発明の実施形態１に係わるスイッチギヤにおける搬出入時の状態を示す要部斜視図である。図３はこの発明の実施形態１に係わるスイッチギヤにおける搬出入時の固定した状態を示す要部斜視図である。図４はこの発明の実施形態１に係わるスイッチギヤにおけるスライド式ケーブル端末処理箱の据付時の状態を示す要部側断面図である。図５はこの発明の実施形態１に係わるスイッチギヤにおける図４のＡ−Ａ線における断面図である。図６はこの発明の実施形態１に係わるスイッチギヤにおける図５のＢ−Ｂ線から見た平面図である。図７はこの発明の実施形態１に係わるスイッチギヤにおける図５のＣ−Ｃ線から見た平面図である。図８はこの発明の実施形態１に係わるスイッチギヤにおけるスライド式ケーブル端末処理箱の搬出入時の状態を示す要部側断面図である。図９はこの発明の実施形態１に係わるスイッチギヤにおける図８のＤ−Ｄ線における断面図である。図１０はこの発明の実施形態１に係わるスイッチギヤにおける図９のＥ−Ｅ線から見た平面図である。図１１はこの発明の実施形態１に係わるスイッチギヤにおける緩衝部材の据付、運転時を示す断面図である。図１２はこの発明の実施形態１に係わるスイッチギヤにおける緩衝部材の搬送、搬出入時を示す断面図である。
【００１７】
これら各図において、３０はスイッチギヤの箱体、３１はスイッチギヤの箱体３０の天井部に設けられた天井カバー体であり、天井カバー体３１にはスイッチギヤの箱体３０内の上側ケーブル２０および下側ケーブル２１を挿通するための挿通穴３１ａが形成されている。３２はボディ体３２ａが天井カバー体３１にスイッチギヤの箱体３０内外へスライド移動可能に取り付けられ、天井カバー体３１の外面に当接可能な上側フランジ３２ｂおよび天井カバー体３１の内面に当接可能な下側フランジ３２ｃを有し、スイッチギヤの箱体３０内の上側ケーブル２０および下側ケーブル２１が挿通されるケーブル端末処理箱である。
【００１８】
３３はケーブル端末処理箱３２の上側フランジ３２ｂと天井カバー体３１との間に配設されたた緩衝部材であり、例えば、緩衝棒体３３ａに圧縮コイルばね３３ｂを装着し圧縮コイルばね３３ｂを圧縮コイルばね受け３３ｃにより受ける構成の場合を示している。なお、ケーブル端末処理箱３２の上側フランジ３２ｂには上側フランジ固定用穴３２ｂ１が設けられ、この上側フランジ固定用穴３２ｂ１と相対応する位置の天井カバー体３１に固定用穴３１ｂが設けられている。
また、図示はしないが、下側フランジ３２ｃには下側フランジ固定用穴が設けられ、この下側フランジ固定用穴と相対応する位置の天井カバー体３１に固定用穴が設けられている。
【００１９】
次に動作について説明する。スイッチギヤの据え付け時には、図５〜図７に示すように、ケーブル端末処理箱３２はスイッチギヤの箱体３０の天井部に設けられた天井カバー体３１より上側にスライド移動されて固定されている。すなわち、ケーブル端末処理箱３２の下側フランジ３２ｃが天井カバー体３１の内面に当接されて固定ボルト３４により固定されている。スイッチギヤの出荷時あるいはスイッチギヤの搬出入時においては、スイッチギヤの高さ方向のコンパクト化を図るため、ケーブル端末処理箱３２の下側フランジ３２ｃと天井カバー体３１とを固定する固定ボルト３４を外し、ケーブル端末処理箱３２のボディ体３２ａをスイッチギヤの箱体３０内へスライド移動させ、図２に示すように、圧縮コイルばね３３ｂにより構成された緩衝部材３３でケーブル端末処理箱３２の上側フランジ３２ｂを受け止め、さらに、緩衝部材３３の圧縮コイルばね３３ｂを圧縮させてケーブル端末処理箱３２の上側フランジ３２ｂを天井カバー体３１の外面に当接させ、上側フランジ３２ｂに設けた上側フランジ固定用穴３２ｂ１と天井カバー体３１に設けた固定用穴３１ｂに固定ボルト３５を通して図８〜図１０に示すようにケーブル端末処理箱３２をスイッチギヤの箱体３０内に収納させて固定する。
【００２０】
このように、ケーブル端末処理箱３２をスイッチギヤの箱体３０内に収納させて固定した状態で、スイッチギヤを出荷する状態、あるいはスイッチギヤの搬出入の状態とすることができるので、スイッチギヤの高さ方向の寸法のコンパクト化を図ることができるスイッチギヤを得ることができる。
【００２１】
スイッチギヤを出荷、あるいはスイッチギヤの搬出入が終わってスイッチギヤを据え付けるときは、固定ボルト３５を取り外して緩衝部材３３の圧縮コイルばね３３ｂの復元力によりケーブル端末処理箱３２を上側に一定量浮上させてケーブル端末処理箱３２の上側フランジ３２ｂと天井カバー体３１との間に例えばケーブル端末処理箱３２を上側にスライド移動させるための作業者の手が十分に入る程度の間隙を確保する。
【００２２】
そして、ケーブル端末処理箱３２をさらに上側にスライド移動させてケーブル端末処理箱３２の下側フランジ３２ｃを天井カバー体３１の内面に当接させて固定ボルト３４により固定することによりケーブル端末処理箱３２のスイッチギヤの箱体３０への据え付けが完了する。
【００２３】
実施の形態２．
この発明の実施の形態２を図１３ないし図１９に基づいて説明するが、各図において、同一、または相当部材、部位については同一符号を付して説明する。図１３はこの発明の実施形態２に係わるスイッチギヤにおけるスライド式ケーブル端末処理箱の据付時の状態を示す要部側断面図である。図１４はこの発明の実施形態２に係わるスイッチギヤにおける図１３のＦ−Ｆ線における断面図である。図１５はこの発明の実施形態２に係わるスイッチギヤにおける図１４のＧ−Ｇ線から見た平面図である。図１６はこの発明の実施形態２に係わるスイッチギヤにおける図１４のＨ−Ｈ線から見た平面図である。図１７はこの発明の実施形態２に係わるスイッチギヤにおけるスライド式ケーブル端末処理箱の搬出入時の状態を示す要部側断面図である。図１８はこの発明の実施形態２に係わるスイッチギヤにおける図１７のＪ−Ｊ線における断面図である。図１９はこの発明の実施形態２に係わるスイッチギヤにおける図１８のＫ−Ｋ線から見た平面図である。
【００２４】
この実施の形態２においては、上述した実施の形態１の構成に次の構成を追加した構成としたものである。すなわち、ケーブル端末処理箱３２のボディ体３２ａの側部にケーブル端末処理箱３２をスイッチギヤの箱体３０外へスライド移動させた後、ケーブル端末処理箱３２の下方への移動を防止する突起体３６を設けたものである。そして、突起体３６の近傍の天井カバー体３１にはその突起体３６との係合を解除するための切り欠き３７が形成されるとともに天井カバー体３１にはケーブル端末処理箱３２を前後方向であるＸ方向およびＹ方向にスライド可能なスライドスペース３８が形成されている。
【００２５】
図１３〜図１６はケーブル端末処理箱３２のスイッチギヤの箱体３０への据え付けが完了している状態を示しており、スイッチギヤの出荷時、あるいはスイッチギヤの搬出入時にはスイッチギヤの高さ方向のコンパクト化を図るため、ケーブル端末処理箱３２の下側フランジ３２ｃと天井カバー体３１とを固定する固定ボルト３４を外す。そして、ケーブル端末処理箱３２のボディ体３２ａをスライドスペース３８のＸ方向側にスライドさせて突起体３６を切り欠き３７の位置にスライドさせてケーブル端末処理箱３２のボディ体３２ａをスイッチギヤの箱体３０内へスライド移動させ、圧縮コイルばね３３ｂにより構成された緩衝部材３３でケーブル端末処理箱３２の上側フランジ３２ｂを受け止め、さらに、緩衝部材３３の圧縮コイルばね３３ｂを圧縮させてケーブル端末処理箱３２の上側フランジ３２ｂを天井カバー体３１の外面に当接させ、上側フランジ３２ｂに設けた上側フランジ固定用穴３２ｂ１と天井カバー体３１に設けた固定用穴３１ｂに固定ボルト３５を通して図１７〜図１９に示すようにケーブル端末処理箱３２をスイッチギヤの箱体３０内に収納させて固定する。
【００２６】
このように、ケーブル端末処理箱３２をスイッチギヤの箱体３０内に収納させて固定した状態で、スイッチギヤを出荷する状態、あるいはスイッチギヤの搬出入の状態とすることができるので、スイッチギヤの高さ方向の寸法のコンパクト化を図ることができるスイッチギヤを得ることができる。
【００２７】
スイッチギヤを出荷、あるいはスイッチギヤの搬出入が終わってスイッチギヤを据え付けるときは、固定ボルト３５を取り外して緩衝部材３３の圧縮コイルばね３３ｂの復元力によりケーブル端末処理箱３２を上側に一定量浮上させてケーブル端末処理箱３２の上側フランジ３２ｂと天井カバー体３１との間に例えばケーブル端末処理箱３２を上側にスライド移動させるための作業者の手が十分に入る程度の間隙を確保する。
【００２８】
そして、ケーブル端末処理箱３２をさらに上側にスライド移動させ、ケーブル端末処理箱３２のボディ体３２ａの突起体３６を切り欠き３７の位置に合わせてその突起体３６が天井カバー体３１の上面側に出るまで上側にスライドさせた後、ケーブル端末処理箱３２のボディ体３２ａをスライドスペース３８のＹ方向側にスライドさせて突起体３６を切り欠き３７から離れた位置にスライドさせてケーブル端末処理箱３２の下方への移動、すなわち落下を防止し、ケーブル端末処理箱３２の下側フランジ３２ｃを天井カバー体３１の内面に当接させて固定ボルト３４により固定することによりケーブル端末処理箱３２のスイッチギヤの箱体３０への据え付けが完了する。
【００２９】
このように、ケーブル端末処理箱３２のボディ体３２ａの側部に突起体３６を設けたことにより、ケーブル端末処理箱３２をスイッチギヤの箱体３０外へスライド移動させた後、ケーブル端末処理箱３２の下方への移動を防止することができる。
【００３０】
実施の形態３．
この発明の実施の形態３を図２０ないし図２６に基づいて説明するが、各図において、同一、または相当部材、部位については同一符号を付して説明する。図２０はこの発明の実施形態３に係わるスイッチギヤにおけるスライド式ケーブル端末処理箱の据付時の状態を示す要部側断面図である。図２１はこの発明の実施形態３に係わるスイッチギヤにおける図２０のＬ−Ｌ線における断面図である。図２２はこの発明の実施形態３に係わるスイッチギヤにおける図２１のＭ−Ｍ線から見た平面図である。図２３はこの発明の実施形態３に係わるスイッチギヤにおける図２１のＮ−Ｎ線から見た平面図である。図２４はこの発明の実施形態３に係わるスイッチギヤにおけるスライド式ケーブル端末処理箱の搬出入時の状態を示す要部側断面図である。図２５はこの発明の実施形態３に係わるスイッチギヤにおける図２４のＰ−Ｐ線における断面図である。図２６はこの発明の実施形態３に係わるスイッチギヤにおける図２５のＱ−Ｑ線から見た平面図である。
【００３１】
上述した各実施の形態においては、緩衝部材３３が圧縮コイルばねにより構成された場合について述べたが、この実施の形態３においては、緩衝部材が天井スペーサ３９により構成された場合を示している。そして、上述した実施の形態２と同様に突起体３６、切り欠き３７、スライドスペース３８が設けられた構成となっている。
【００３２】
図２０〜図２３はケーブル端末処理箱３２のスイッチギヤの箱体３０への据え付けが完了している状態を示しており、スイッチギヤの出荷時、あるいはスイッチギヤの搬出入時にはスイッチギヤの高さ方向のコンパクト化を図るため、ケーブル端末処理箱３２の下側フランジ３２ｃと天井カバー体３１とを固定する固定ボルト３４を外す。そして、ケーブル端末処理箱３２のボディ体３２ａをスライドスペース３８のＸ方向側にスライドさせて突起体３６を切り欠き３７の位置にスライドさせてケーブル端末処理箱３２のボディ体３２ａをスイッチギヤの箱体３０内へスライド移動させ、緩衝部材としての天井スペーサ３９上にケーブル端末処理箱３２の上側フランジ３２ｂを受け止めて当接させ、上側フランジ３２ｂに設けた上側フランジ固定用穴３２ｂ１と天井カバー体３１に設けた固定用穴３１ｂに固定ボルト３５を通して図２４〜図２６に示すようにケーブル端末処理箱３２をスイッチギヤの箱体３０内に収納させて固定する。
なお、緩衝部材が天井スペーサ３９の高さはケーブル端末処理箱３２の上側フランジ３２ｂと天井カバー体３１との間に例えばケーブル端末処理箱３２を上側にスライド移動させるための作業者の手が十分に入る程度の間隙を確保できる程度であればよい。
【００３３】
このように、ケーブル端末処理箱３２をスイッチギヤの箱体３０内に収納させて固定した状態で、スイッチギヤを出荷する状態、あるいはスイッチギヤの搬出入の状態とすることができるので、スイッチギヤの高さ方向の寸法のコンパクト化を図ることができるスイッチギヤを得ることができる。
【００３４】
スイッチギヤを出荷、あるいはスイッチギヤの搬出入が終わってスイッチギヤを据え付けるときは、固定ボルト３５を取り外し、ケーブル端末処理箱３２を上側にスライド移動させ、ケーブル端末処理箱３２のボディ体３２ａの突起体３６を切り欠き３７の位置に合わせてその突起体３６が天井カバー体３１の上面側に出るまで上側にスライドさせた後、ケーブル端末処理箱３２のボディ体３２ａをスライドスペース３８のＹ方向側にスライドさせて突起体３６を切り欠き３７から離れた位置にスライドさせてケーブル端末処理箱３２の下方への移動、すなわち落下を防止し、ケーブル端末処理箱３２の下側フランジ３２ｃを天井カバー体３１の内面に当接させて固定ボルト３４により固定することによりケーブル端末処理箱３２のスイッチギヤの箱体３０への据え付けが完了する。
【００３５】
このように、ケーブル端末処理箱３２のボディ体３２ａの側部に突起体３６を設けたことにより、ケーブル端末処理箱３２をスイッチギヤの箱体３０外へスライド移動させた後、ケーブル端末処理箱３２の下方への移動を防止することができる。
【００３６】
なお、この発明は、その発明の範囲内において、各実施の形態を自由に組み合わせたり、各実施の形態を適宜、変形、省略することが可能である。
【産業上の利用可能性】
【００３７】
この発明は、輸送および搬出入時におけるスイッチギヤの高さ方向の寸法のコンパクト化を図ることができるスイッチギヤの実現に好適である。
【符号の説明】
【００３８】
３０  スイッチギヤの箱体、３１  天井カバー体、３１ａ  挿通穴、３１ｂ  固定用穴、３２  ケーブル端末処理箱、３２ａ  ボディ体、３２ｂ  上側フランジ、３２ｂ１  上側フランジ固定用穴、３２ｃ  下側フランジ、３３  緩衝部材、３３ｂ  圧縮コイルばね、３４  固定ボルト、３５  固定ボルト、３６  突起体、３７  切り欠き、３８  スライドスペース、３９  天井スペーサ。
【図１２】
2014236585.tif 000003
【図１】
2014236585.tif 000004
【図２】
2014236585.tif 000005
【図３】
2014236585.tif 000006
【図４】
2014236585.tif 000007
【図５】
2014236585.tif 000008
【図６】
2014236585.tif 000009
【図７】
2014236585.tif 000010
【図８】
2014236585.tif 000011
【図９】
2014236585.tif 000012
【図１０】
2014236585.tif 000013
【図１１】
2014236585.tif 000014
【図１３】
2014236585.tif 000015
【図１４】
2014236585.tif 000016
【図１５】
2014236585.tif 000017
【図１６】
2014236585.tif 000018
【図１７】
2014236585.tif 000019
【図１８】
2014236585.tif 000020
【図１９】
2014236585.tif 000021
【図２０】
2014236585.tif 000022
【図２１】
2014236585.tif 000023
【図２２】
2014236585.tif 000024
【図２３】
2014236585.tif 000025
【図２４】
2014236585.tif 000026
【図２５】
2014236585.tif 000027
【図２６】
2014236585.tif 000028
【図２７】
2014236585.tif 000029